(57)【特許請求の範囲】
【請求項１】
水路から除塵機(D)で掻き揚げられた塵芥を搬送するコンベヤ(1)と、コンベヤ(1)から送り出された塵芥を貯留するホッパー(2)とを備え、ホッパー(2)は、架台(3)に上方から吊下支持されて昇降するものとし、ホッパー(2)が下降位置にあるとき、塵芥をコンベヤ(1)からホッパーへ送り込み、ホッパー(2)が上昇位置にあるとき、ホッパー(2)の底面を開閉するカットゲート(17)を開いて、塵芥をホッパー(2)からトラックの荷台へ落下させるようにし、コンベヤ(1)の設置面(S)及びホッパー(2)の昇降路(4)の底面(B)の高さを、トラックの進入路の路面(P)の高さよりも低く設定した除塵設備の塵芥搬出装置において、
架台(3)の高さ方向の中間位置に、開閉式の床板(10)を設け、床板(10)を閉じた状態で、トラックの進入路の路面(P)に床板(10)の上面が連続し、床板(10)を開いた状態で、ホッパー(2)がその下方と上方との間で昇降可能となるようにし、
ホッパー(2)のカットゲート(17)を、ばね(18)により閉じる方向へ常時付勢しておき、架台(3)の上部にシリンダー(20)を取り付け、ばね(18)の付勢力に抗してシリンダー(20)を伸ばすと、リンク機構(19)を介してカットゲート(17)が開き、シリンダー(20)を縮めると、ばね(18)の付勢力によりカットゲート(17)が閉じるようにしたことを特徴とする除塵設備の塵芥搬出装置。
【請求項２】
請求項１に記載の除塵設備の塵芥搬出装置において、ホッパー(2)に貯留された塵芥の重量を計測する秤量器(21)を、ホッパー(2)の昇降路(4)の底部に設け、ホッパー(2)の着座により秤量器(21)で塵芥の重量が計測されるようにしたことを特徴とする除塵設備の塵芥搬出装置。
【発明の詳細な説明】
【技術分野】
【０００１】
この発明は、下水処理場、ポンプ場等で使用され、雨水、汚水沈砂池から排出された塵芥を搬出する装置に関するものである。
【背景技術】
【０００２】
水路に設置された除塵設備の塵芥搬出装置として、本出願人は、下記特許文献１において、図１１に示すようなものを提案している。この塵芥搬出装置は、水路から除塵機Ｄで掻き揚げられた塵芥を搬送するコンベヤ５１と、コンベヤ５１から送り出された塵芥を貯留する昇降式のホッパー５２とを備えている。
【０００３】
ホッパー５２は、ホッパー枠５３に取り付けられ、底面がカットゲート５４により開閉する構造となっており、カットゲート５４は、ホッパー枠５３に設けられた電動式のシリンダー５５により開閉される。ホッパー枠５３には、ホッパー５２に貯留された塵芥の重量を計測する秤量器５９が設けられている。
【０００４】
ホッパー５２を上方から吊下支持する架台５６は、ホッパー５２を垂直に昇降させる昇降路５７と、その上部から水平に移動させる横行路５８とを構成し、横行路５８の下方が塵芥を積載するトラックＴの進入路となっている。コンベヤ５１の設置面Ｓとこれに続くホッパー５２の昇降路５７の底面Ｂとは、除塵機Ｄの揚程を低く抑制し、運転効率を高めるため、トラックＴの進入路の路面Ｐの高さよりも低く設定されている。
【０００５】
この除塵設備の塵芥搬出装置では、ホッパー５２が昇降路５７の下端位置にあるとき、塵芥をコンベヤ５１からホッパー５２へ送り込み、ホッパー５２に一定量の塵芥が溜まったとき、コンベヤ５１を後退させて、ホッパー５２を上昇させ、ホッパー５２が上昇位置で横行路５８の終端部に達した状態で、カットゲート５４を開いて、塵芥をホッパー５２からトラックＴの荷台へ落下させる。
【先行技術文献】
【特許文献】
【０００６】
【特許文献１】特許第５１１２５６９号公報
【発明の概要】
【発明が解決しようとする課題】
【０００７】
しかしながら、上記のような除塵設備の塵芥搬出装置では、ホッパー５２を水平に移動させるため、複雑な形状のガイドレールやホッパー５２の移動機構を設ける必要があり、製作にコストがかかるほか、メンテナンスにもコストがかかる。
【０００８】
また、カットゲート５４の開閉用シリンダー５５をホッパー枠５３に設けているため、シリンダー５５に電力を供給するケーブルやケーブルガイドをホッパー５２と一緒に移動させる必要があり、長いケーブルやそのガイド部品が必要となる。
【０００９】
また、ホッパー５２に貯留された塵芥の重量を計測する秤量器５９をホッパー枠５３に設けているため、秤量器５９の電力供給用ケーブルと信号ケーブルもまた、ホッパー５２と一緒に移動させる必要があり、長いケーブルやそのガイド部品が必要となる。
【００１０】
そこで、この発明は、ホッパーの移動機構を簡素化し、製作やメンテナンス等の運用に要するコストを抑制することを課題とする。
【課題を解決するための手段】
【００１１】
上記課題を解決するため、この発明は、コンベヤの設置面及びホッパーの昇降路の底面の高さを、トラックの進入路の路面の高さよりも低く設定した除塵設備の塵芥搬出装置において、ホッパーを吊下支持する架台の高さ方向の中間位置に開閉式の床板を設け、床板を閉じた状態で、トラックの進入路の路面に床板の上面が連続し、床板を開いた状態で、ホッパーがその下方と上方との間で昇降可能となるようにし、ホッパーのカットゲートをばねにより閉じる方向へ常時付勢しておき、架台の上部にシリンダーを取り付け、ばねの付勢力に抗してシリンダーを伸ばすと、リンク機構を介してカットゲートが開き、シリンダーを縮めると、ばねの付勢力によりカットゲートが閉じるようにしたのである。
【００１２】
また、ホッパーに貯留された塵芥の重量を計測する秤量器を、ホッパーの昇降路の底部に設け、ホッパーの着座により秤量器で塵芥の重量が計測されるようにしたのである。
【発明の効果】
【００１３】
この発明に係る除塵設備の塵芥搬出装置では、架台の高さ方向中間位置に開閉式の床板を設け、ホッパーが上昇した状態で床板を閉じ、トラックを床板上に乗り入れることにより、ポッパーの下方にトラックの荷台を位置づけることができるので、ホッパーを水平移動させる移動機構等が不要となり、製作に要するコストを抑制できるほか、メンテナンスのコストを抑制することができる。
【００１４】
また、ホッパーのカットゲートの開閉用シリンダーを架台に取り付けたので、シリンダーに電力を供給するケーブルやケーブルガイドをホッパーと一緒に移動させる必要がなくなり、長いケーブルやそのガイド部品が不要となる。
【００１５】
さらに、ホッパーに貯留された塵芥の重量を計測する秤量器を、ホッパーの昇降路の底部に設けたので、秤量器に接続する電力供給用ケーブルや信号ケーブルもまた、ホッパーと一緒に移動させる必要がなくなり、長いケーブルやそのガイド部品が不要となる。
【図面の簡単な説明】
【００１６】
【図１】この発明に係る塵芥搬出装置の実施形態を示す正面図
【図２】同上のホッパーの昇降機構を示す水路側からの側面図
【図３】同上の（ａ）図１のIIIａ−IIIａに沿った横断平面図（床板閉止状態）、（ｂ）図１のIIIｂ−IIIｂに沿った横断平面図（床板開放状態）
【図４】同上の塵芥搬出用コンベヤの運転時の状態を示す概略正面図
【図５】同上のコンベヤの運転停止及び後退状態を示す概略正面図
【図６】同上のホッパーの上昇状態を示す概略正面図
【図７】同上の床板が閉じた状態を示す概略正面図
【図８】同上の床板上へのトラック乗り入れ状態を示す概略正面図
【図９】同上のカットゲートを開いた状態を示す概略正面図
【図１０】同上の塵芥搬出後の復帰状態を示す概略正面図
【図１１】従来の塵芥搬出装置による塵芥搬出時の状態を示す正面図
【発明を実施するための形態】
【００１７】
以下、この発明の実施形態を添付図面に基づいて説明する。
【００１８】
この発明に係る塵芥搬出装置は、下水処理場やポンプ場の除塵設備に設置されるものであり、図１〜図３に示すように、水路からスクリーン式の除塵機Ｄで掻き揚げられた塵芥を搬送するコンベヤ１と、コンベヤ１から送り出された塵芥を貯留する昇降式のホッパー２とを備えている。
【００１９】
コンベヤ１の設置面Ｓの一側には、ホッパー２を上方から吊下支持及する架台３が立設され、架台３の内側の垂直空間がホッパー２の昇降路４とされている。昇降路４の底面Ｂの高さは、コンベヤ１の設置面Ｓと同一となっており、塵芥搬出用のトラックＴの進入路の路面Ｐの高さよりも低く設定されている。コンベヤ１は、昇降路４に対して進退する伸縮式とされている。
【００２０】
架台３には、トラックＴの進入路の反対側に、昇降路４の下部から上部へかけてガイドレール５が取り付けられている。架台３の頂部には、スプロケット６が配置され、スプロケット６に巻き掛けられてモーター７により駆動されるエンドレスのチェーン８に、ホッパー２が吊り下げるように係止されている。チェーン８には、ホッパー２の反対側にカウンターウェイト２ａが取り付けられている。
【００２１】
そして、ホッパー２は、チェーン８の走行に伴い、ガイドローラー９がガイドレール５に接触回転しつつ、ガイドレール５に沿って垂直に昇降する。
【００２２】
架台３の高さ方向の中間位置には、架台３の中間枠３ａで基部が支持される床板１０が設けられ、床板１０は、コンベヤ１の排出端とトラックＴの進入路とを結ぶ方向の床回転軸１１を中心として、モーター１２から連結軸１２ａを介して伝達される駆動力により開閉する。床板１０には、軽量で排水性に優れたグレーチングが用いられている。
【００２３】
そして、床板１０を閉じた状態で、床板１０の先端部が架台３の床受ブラケット３ｂに支持され、トラックＴの進入路の路面Ｐに床板１０の上面が連続し、床板１０の上面にトラックＴが乗り入れ可能となる。また、床板１０を開いた状態で、ホッパー２がその下方と上方との間で昇降できるようになる。
【００２４】
床板１０の上面外側部には、トラックＴの側方への逸脱を防止する逸止材１３と、後退を制限する車止め１４が設けられている。路面Ｐと床板１０の上面との隙間を埋める固定床板１５の上面及び進入路の路面Ｐにも、逸止材１３が設けられ、路面Ｐでは、逸止材１３の間隔がトラックＴを誘導するように広がっている。
【００２５】
ホッパー２は、ホッパー枠１６に取り付けられ、底面を開閉する一対のカットゲート１７を有する。カットゲート１７は、ゲート回転軸の周りに設けられたねじりコイル式のばね１８によって閉じる方向へ常時付勢され、ホッパー枠１６と連結されたリンク機構１９のクランク運動に伴って開閉動作を行う。
【００２６】
架台３の上部には、電動式のシリンダー２０が取り付けられ、シリンダー２０の先端部は、リンク機構１９の上部外端の結節点を構成するリンク部材に対向している。そして、シリンダー２０をばね１８の付勢力に抗して伸ばすと、リンク機構１９の結節点が押されて、カットゲート１７が開き、シリンダー２０を縮めると、ばね１８の付勢力によりカットゲート１７が閉じるようになっている。
【００２７】
また、架台３には、ホッパー２の上昇位置において、カットゲート１７を片方ずつ開いたときのホッパー２の揺動を防止するため、ホッパー２のコーナー部を抱持する揺止材１６ａが設けられている。
【００２８】
ホッパー２の昇降路４の底部には、貯留した塵芥の重量を計測するため、秤量器２１が昇降路４の底面Ｂの台座上に設けられ、秤量器２１の上端に、下降したホッパー２を受け止める受座２２が取り付けられている。塵芥の計量に際しては、秤量器２１の計測値からホッパー２及びこれと共に昇降する部材の重量を減算する。
【００２９】
上記のような塵芥搬出装置を運転して水路中の除塵を行う際には、図４に示すように、ホッパー２が昇降路４の下端で受座２２に着座し、コンベヤ１のヘッド部が前進してホッパー２の上方に位置すると共に、床板１０が開いた状態で、除塵機Ｄ及びコンベヤ１を運転し、水路から掻き揚げられた塵芥をコンベヤ１で搬送して、コンベヤ１のヘッド部から落下させ、ホッパー２に送り込む。
【００３０】
そして、この運転を継続し、秤量器２１により計測された塵芥の重量が所定値に達したとき、除塵機Ｄ及びコンベヤ１の運転を停止し、図５に示すように、コンベヤ１のヘッド部を、ホッパー２の昇降路４に干渉しないように、架台３の外側まで後退させる。また、搬出用のトラックＴを進入路の路面Ｐに待機させる。
【００３１】
次に、図６に示すように、ホッパー２をモーター７の駆動により上昇させ、その後、図７に示すように、床板１０をモーター１２の駆動により閉じた状態とし、トラックＴの進入路の路面Ｐと床板１０の上面とを、固定床板１５を介して連続させる。
【００３２】
その後、図８に示すように、トラックＴをバックさせて床板１０の上面まで乗り入れ、トラックＴの荷台をホッパー２の下方に位置づけた状態で、図９に示すように、シリンダー２０を伸ばし、リンク機構１９を介しカットゲート１７を開いて、塵芥をホッパー２からトラックＴの荷台へ落下させる。
【００３３】
そして、ホッパー２に貯留されていた塵芥の全量をトラックＴの荷台に移載した後、図１０に示すように、シリンダー２０を縮め、ばね１８の付勢力により、カットゲート１７を閉じ、トラックＴを進入路の路面Ｐへ前進させて床板１０から離脱させ、床板１０をモーター１２の駆動により開いた状態とし、ホッパー２をモーター７の駆動により下降させて、受座２２に着座させると、搬出作業が終了する。
【００３４】
上記のような塵芥搬出装置では、架台３の高さ方向中間位置に設けた開閉式の床板１０を、ホッパー２が上昇した状態で閉じ、搬出用のトラックＴを床板１０上に乗り入れることにより、ホッパー２の下方にトラックＴの荷台を位置づけることができるので、ホッパー２を水平移動させる移動機構等が不要となり、製作に要するコストを抑制できるほか、メンテナンスのコストを抑制することができる。
【００３５】
また、ホッパー２のカットゲート１７の開閉用のシリンダー２０を架台３に取り付けたので、シリンダー２０に電力を供給するケーブルやケーブルガイドをホッパー２と一緒に移動させる必要がなくなり、長いケーブルやそのガイド部品が不要となる。従って、この点においても、製作やメンテナンスに要するコストを抑制することができる。
【００３６】
さらに、ホッパー２に貯留された塵芥の重量を計測する秤量器２１を、ホッパー２の昇降路４の底部に設けたので、秤量器２１に接続する電力供給用ケーブルや信号ケーブルもまた、ホッパー２と一緒に移動させる必要がなくなり、長いケーブルやそのガイド部品が不要となる。従って、この点においても、製作やメンテナンスに要するコストを抑制することができる。
【符号の説明】
【００３７】
１  コンベヤ
２  ホッパー
２ａ  カウンターウェイト
３  架台
３ａ  中間枠
３ｂ  床受ブラケット
４  昇降路
５  ガイドレール
６  スプロケット
７  モーター
８  チェーン
９  ガイドローラー
１０  床板
１１  床回転軸
１２  モーター
１２ａ  連結軸
１３  逸止材
１４  車止め
１５  固定床板
１６  ホッパー枠
１６ａ  揺止材
１７  カットゲート
１８  ばね
１９  リンク機構
２０  シリンダー
２１  秤量器
２２  受座
Ｄ  除塵機
Ｔ  トラック
Ｂ  ホッパー昇降路の底面
Ｐ  トラック進入路の路面
Ｓ  コンベヤの設置面
【要約】
【課題】ホッパーの移動機構を簡素化し、製作や運用に要するコストを抑制する。
【解決手段】コンベヤ１の設置面Ｓ及びホッパー２の昇降路４の底面Ｂの高さを、トラックＴの進入路の路面Ｐの高さよりも低く設定した除塵設備の塵芥搬出装置において、ホッパー２を吊下支持する架台３の高さ方向の中間位置に開閉式の床板１０を設け、床板１０を閉じた状態で、トラックＴの進入路の路面Ｐに床板１０の上面が連続し、床板１０を開いた状態で、ホッパー２がその下方と上方との間で昇降可能となるようにし、ホッパー２のカットゲート１７を、ばね１８により閉じる方向へ常時付勢しておき、架台３の上部にシリンダー２０を取り付け、ばね１８の付勢力に抗してシリンダー２０を伸ばすと、リンク機構１９を介してカットゲート１７が開き、シリンダー２０を縮めると、ばね１８の付勢力によりカットゲート１７が閉じるようにする。
【選択図】図１【図１】
0005711418.tif 000002
【図２】
0005711418.tif 000003
【図３】
0005711418.tif 000004
【図４】
0005711418.tif 000005
【図５】
0005711418.tif 000006
【図６】
0005711418.tif 000007
【図７】
0005711418.tif 000008
【図８】
0005711418.tif 000009
【図９】
0005711418.tif 000010
【図１０】
0005711418.tif 000011
【図１１】
0005711418.tif 000012